(57)【要約】  【課題】ＰＥＴ容器やビン容器のような飲み口が小さい商品を収納した場合にも商品の飲み口の引っ掛りなく、確実に収納販売できる自動販売機の商品収納装置を提供する。  【解決手段】通路調整板５の部品構成が通路調整板５とリンク連結板９の２部品構成でも、通路調整板５の商品通路１と反対面にリンク連結板９を配し、通路調整板５の商品通路１側を上下の商品落下方向に対し、飲み口が入り込み引っ掛らない形状としたことにより、商品立ち、詰まりを起こさずスムーズに商品収納ができ、販売することができる。【選択図】図２
2007122702.tif 000002
【特許請求の範囲】
【請求項１】
商品の側面を略水平にして商品を上下方向に積み上げて収納する商品通路を形成する左右に対向した側板と、前記側板間に形成された前記商品通路の下端に商品を１本ずつ払い出す商品搬出装置と、前記商品搬出装置と対向して設けられる通路規制板と、前記側板間に商品の大きさによって前記商品通路の幅を可変できる通路幅調整板と、前記通路幅調整板の前記商品通路の反対側に片方の前記側板と平行リンク機構を形成することを特徴とする自動販売機の商品収納装置。
【請求項２】
通路幅調整板の上下略全長の断面を凹凸形状に形成し、前記通路調整板の凹凸断面形状をリンク連結板が上下移動させる略中央部が通路側に凸形状となるよう構成したことを特徴とする請求項１に記載の自動販売機の商品収納装置。
【請求項３】
通路幅調整板の通路と反対側にリンク連結板を前記通路調整板に略当接させ、上下可動に両横から係止する切起しを設けたことを特徴とする請求項１または請求項２に記載の自動販売機の商品収納装置。
【請求項４】
通路幅調整板の通路と反対側にリンク連結板を前記通路調整板に略当接させ、上下可動に両横から係止するよう設けた切起しと、リンク板と連結されるよう前記リンク連結板の略上下端に通路と反対方向で略鉛直に設けられたコの字曲げと、前記リンク連結板の上下可動域の上限または、下限位置で前記切起しと前記コの字曲げが当接し、止まるよう構成したことを特徴とする請求項３に記載の自動販売機の商品収納装置。
【請求項５】
通路幅調整板の通路と反対側にリンク連結板を前記通路調整板に略当接させ、上下可動に両横から係止するよう設けた切起しと、前記通路調整板と前記切起しの間に前記リンク連結板を挿着できるよう可動域外に前記リンク連結板の側縁に前記切起しと同ピッチで切欠きを設けたことを特徴とする請求項３または請求項４に記載の自動販売機の商品収納装置。
【請求項６】
通路幅調整板の通路と反対側にリンク連結板を前記通路調整板に略当接させ、上下可動に両横から係止するよう設けた切起しと、前記リンク連結板を挿着できるよう可動域外に前記リンク連結板の側縁に前記切起しと同ピッチで設けた切欠きを前記リンク連結板の左右で千鳥状に配置したことを特徴とする請求項５に記載の自動販売機の商品収納装置。
【請求項７】
リンク連結板の上下可動域の上限または、下限位置で前記リンク連結板が当接して止まるように通路幅調整板の通路と反対側の前記リンク連結板の上端の上方あるいは、下端の下方に切起しを設けたことを特徴とする請求項５または請求項６に記載の自動販売機の商品収納装置。
【請求項８】
リンク連結板の上下略全長の断面を通路と反対側に略中央が凸形状となるよう構成したことを特徴とする請求項１から請求項７のいずれか一項に記載の自動販売機の商品収納装置。
【請求項９】
商品通路幅をリンク板を介して可動自在に調整する通路幅調整板で、前記リンク板の一端は前記通路幅調整板に軸支され、他端は、側板に左右それぞれに上下方向に一体形成された略Ｌ曲げのフランジ部と前記フランジ部を覆う回動保持板によって回動自在に保持され、前記回動保持板は前記フランジ部を覆うように上方から下方に向かって取付けられ、前記側板に形成された切起し部に嵌合し、前記フランジ部に形成した爪状の突出部に前記回動保持板の上端部が係止して、前記フランジ部に固定されることを特徴とする請求項１から請求項８のいずれか一項に記載の自動販売機の商品収納装置。
【請求項１０】
略Ｌ曲げフランジ部の両側に設けられた切起し部は、回動保持部材の係合部をガイドするように、先端部を商品通路の外側に向かって折り曲げガイド部を構成したことを特徴とする請求項９に記載の自動販売機の商品収納装置。
【発明の詳細な説明】
【技術分野】
【０００１】
本発明は、缶、瓶商品またはＰＥＴ容器の商品を販売する自動販売機の商品収納装置に関するものである。
【背景技術】
【０００２】
従来、この種の自動販売機の商品収納装置は、本体内部にサーペンタイン式の商品通路が前後方向に複数列設けられており、その商品通路には、缶、瓶またはＰＥＴ容器などの商品が横になった状態で縦列に収納され、これらの商品は商品通路の下端に設けられた商品搬出装置によって、販売指令にもとづいて販売されるようになっている（例えば、特許文献１参照）。
【０００３】
図８は特許文献１に記載された従来の自動販売機の商品収納装置を示すものである。図９は特許文献１に記載された従来の自動販売機の商品収納装置の通路調整板の斜視図である。図１０は特許文献１に記載された従来の自動販売機の商品収納装置の通路調整板の要部断面図である。
【０００４】
図８、図９、図１０に示すように、商品の側面を水平にして商品を上下方向に収納する商品通路１と、商品通路１を形成する左右に対向する２つの側板２ａ、２ｂと、側板２ａ、２ｂ間に形成される商品通路１の下端に商品を１本ずつ払い出す商品搬出装置３と、側板２ａ、２ｂ間に形成される商品通路１の上端に商品を入れる商品投入口４と、側板２ａ、２ｂ間に配置されている。
【０００５】
側板２ａとの間で商品通路１の横幅を水平移動調整可能に設けられた上下略全長の略中央が通路側に凹形状で、左右側縁が通路と反対側にＬ字状に曲げられた通路幅調整板５と、通路幅調整板５と連結させて商品投入口４上に商品の大きさにより横幅を調整固定可能に設けた投入口幅調整部材６と、側板２ａ、２ｂ間に通路幅調整板５の上端の穴に通路幅調整板５が水平移動可能に貫通されたピン７と、側板２ｂに下端が軸支された上下２本の回動自在なリンク８ａ、８ｂと、リンク８ａ、８ｂの上端と上下端で軸支連結されている。
【０００６】
全長断面が通路と反対側にコの字曲げされた、通路幅調整板５の略中央部の通路側の凹形状部内を上下動自在に設けたリンク連結板９からなり、リンク８ａ、８ｂとリンク連結板９の軸支連結部は、通路調整板５に設けられる通路と反対側に曲がったＬ曲げ上の長穴１０内を上下動するよう構成されている。
【０００７】
以上のように構成された自動販売機の収納装置について、以下その動作を説明する。
【０００８】
まず、５００ｍｌのＰＥＴ容器のように大きな商品を収納する場合、投入口幅調整部材６を操作して側板２ｂ側に商品通路１の横幅を大きくするよう移動させるが、投入口幅調整部材６に連動される通路幅調整板５もピン７に案内され水平に側板２ｂ側へ移動する。この際、同時に側板２ｂに下端が軸支されたリンク８ａ、８ｂが垂直になる方向に回動し、リンク８ａ、８ｂの上端と上下端が軸支連結されたリンク連結板９が通路調整板５に設けられる長穴１０に案内され上方に移動することで通路幅調整板５がスムーズに移動できる。
【０００９】
また、３５０ｍｌの缶容器のように小さな商品を収納する場合、投入口幅調整部材６を操作して側板２ａ側に商品通路１の横幅を小さくするよう移動させるが、投入口幅調整部材６に連動される通路幅調整板５もピン７に案内され水平に側板２ａ側へ移動する。この際、同時に側板２ｂに下端が軸支されたリンク８ａ、８ｂが水平になる方向に回動し、リンク８ａ、８ｂの上端と上下端が軸支連結されたリンク連結板９が通路調整板５に設けられる長穴１０に案内され下方に移動することで通路幅調整板５がスムーズに移動できる。
【特許文献１】特開２００３−２２３６７７号公報
【発明の開示】
【発明が解決しようとする課題】
【００１０】
しかしながら、上記従来の構成では、ＰＥＴ容器やビン容器のような飲み口が小さい商品は商品投入口４から投入された後、商品通路１内を飲み口が通路調整板５と接触しながら水平姿勢で下方に落下していくが、商品がリンク連結板９の上端付近を通過する際、飲み口が通路調整板５の凹内に入り込んでリンク連結板９の上端に引っ掛かってしまい、水平姿勢を維持できず立ってしまうという課題を有していた。
【００１１】
本発明は、上記従来の課題を解決するもので、通路調整板５の構成部品が通路調整板５とリンク連結板９の２部品構成でも、ＰＥＴ容器やビン容器のような飲み口が小さな商品も、飲み口の引っ掛りがなく、商品立ち、詰りを起こさない構成の自動販売機の商品収納装置を提供することを目的とする。
【課題を解決するための手段】
【００１２】
上記従来の課題を解決するために、本発明の自動販売機の商品収納装置は、左右に対向した側板間に形成された商品通路において、側板間に商品の大きさによって商品通路の幅を可変できる通路幅調整板と、商品通路の反対側に片方の側板と平行リンク機構を形成するよう通路幅調整板に上下可動自在に設けられるリンク連結板の略上下端２箇所と側板間に架設される平行リンク機構を形成する２個のリンク板を設けた構成としたものである。
【００１３】
これによって、通路調整板の構成部品が前記通路調整板とリンク連結板の２部品構成でも、通路側に上下方向に引っ掛りがなく、ＰＥＴ容器やビン容器のような飲み口が小さな商品も、商品立ち、詰まりを起こさない。
【発明の効果】
【００１４】
本発明の自動販売機の商品収納装置は、通路調整板の構成部品が前記通路調整板とリンク連結板の２部品構成でも、通路側に上下方向に引っ掛りがなく、ＰＥＴ容器やビン容器のような飲み口が小さな商品も、商品立ち、詰まりを起こさず販売することができる。
【発明を実施するための最良の形態】
【００１５】
請求項１に記載の発明は、左右に対向した側板間に形成された商品通路において、前記側板間に商品の大きさによって前記商品通路の幅を可変できる通路幅調整板と、前記通路幅調整板の前記商品通路の反対側に片方の前記側板と平行リンク機構を形成するよう前記通路幅調整板に上下可動自在に設けられるリンク連結板と、前記リンク連結板の略上下端２箇所と前記側板間に架設される前記平行リンク機構を形成する構成としたことにより、通路調整板の構成部品が前記通路調整板とリンク連結板の２部品構成でも、通路側に上下方向に引っ掛りをなくすことができ、ＰＥＴ容器やビン容器のような飲み口が小さな商品も、商品立ち、詰まりを起こさず販売することができる。
【００１６】
請求項２に記載の発明は、請求項１に記載の発明に、通路幅調整板の上下略全長の断面を凹凸形状に形成し、前記通路調整板の凹凸断面形状をリンク連結板が上下移動させる略中央部が通路側に凸形状となるよう構成したことにより、通路調整板の構成部品が前記通路調整板とリンク連結板の２部品構成でも、前記通路調整板の強度を大きくすることができ、かつ、通路側に上下方向に引っ掛りをなくすことができるため、商品の積み上げ収納時に前記通路調整板は広がらず、かつ、ＰＥＴ容器やビン容器のような飲み口が小さな商品も水平姿勢を崩さず、商品立ち、詰まりを起こさないで販売することができる。
【００１７】
請求項３に記載の発明は、請求項１または請求項２に記載の発明に、通路幅調整板の通路と反対側にリンク連結板を前記通路調整板に略当接させ、上下可動に両横から係止する切起しを設けた構成とすることにより、通路調整板の構成部品が前記通路調整板とリンク連結板の２部品構成でも、前記リンク連結板の左右側縁端面を前記通路調整板の切起しの面で上下動をガイドするため、前記リンク連結板が引っ掛りなくスムーズに上下動させることができ、商品の高さによって設定する前記通路幅調整板の操作が引っ掛かることなく円滑にできる。
【００１８】
請求項４に記載の発明は、請求項３に記載の発明に、通路幅調整板の通路と反対側にリンク連結板を前記通路調整板に略当接させ、上下可動に両横から係止するよう設けた切起しと、リンク板と連結されるよう前記リンク連結板の略上下端に通路と反対方向で略鉛直に設けられたコの字曲げと、前記リンク連結板の上下可動域の上限または、下限位置で前記切起しと前記コの字曲げが当接し、止まるよう構成したことにより、通路調整板の構成部品が前記通路調整板とリンク連結板の２部品構成でも、前記通路規制板に新たに穴を開けず、強度を落とすことなく前記リンク連結板の上限または下限の可動域を規制できるため、商品の積み上げ収納時に前記通路調整板が広がらず、かつ、商品の高さによって設定する前記通路幅調整板の操作が引っ掛かることなく円滑にでき、商品立ち、詰りを起さず商品を販売できる。
【００１９】
請求項５に記載の発明は、請求項３または請求項４に記載の発明に、通路幅調整板の通路と反対側にリンク連結板を前記通路調整板に略当接させ、上下可動に両横から係止するよう設けた切起しと、前記通路調整板と前記切起しの間に前記リンク連結板を挿着できるよう可動域外に前記リンク連結板の側縁に前記切起しと同ピッチで切欠きを設けた構成としたことにより、通路調整板に設けられた切起し内に可動域外のリンク連結板の側縁に設けられた切欠き部より前記リンク連結板を挿着させるといった容易な作業で組み立てできるため、生産工数、コスト削減が図れる。
【００２０】
請求項６に記載の発明は、請求項５に記載の発明に、通路幅調整板の通路と反対側にリンク連結板を前記通路調整板に略当接させ、上下可動に両横から係止するよう設けた切起しと、前記リンク連結板を挿着できるよう可動域外にリンク連結板の側縁に前記切起しと同ピッチで設けた切欠きを前記リンク連結板の左右で千鳥状に配置した構成とすることにより、通路調整板に設けられた切起し内に可動域外のリンク連結板の側縁に設けられた切欠き部より前記リンク連結板を挿着させるといった容易な作業で組み立てでき、かつ、前記通路幅調整板の左右切起し間と、前記リンク連結板の左右切欠き間を大きく取ることにより、前記通路調整板と前記リンク連結板の両方の強度を大きくすることができるため、生産工数、コスト削減が図れ、かつ、前記通路調整板の広がりによる商品立ち、詰りを防止できる。
【００２１】
請求項７に記載の発明は、請求項５または請求項６に記載の発明に、リンク連結板の上下可動域の上限または、下限位置で前記リンク連結板が当接して止まるように通路幅調整板の通路と反対側の前記リンク連結板の上端の上方あるいは、下端の下方に切起しを設けた構成としたことにより、通路調整板に設けられた切起し内に可動域外の前記リンク連結板の側縁に設けられた切欠き部より前記リンク連結板を挿着させた後、上限または下限の可動域の規制をすることができるため、組み立て後の可動域規制、及び、前記リンク連結板外れ止めのための後加工を施さなくてよく、生産工数、コスト削減が図れる。
【００２２】
請求項８に記載の発明は、請求項１から請求項７のいずれか一項に記載の発明に、リンク連結板の上下略全長の断面を通路と反対側に略中央が凸形状となるよう構成したことにより、通路調整板の構成部品が前記通路調整板とリンク連結板の２部品構成でも、前記リンク連結板の強度を大きくすることができ、前記通路調整板の広がりによる商品詰り、立ちを起さず商品を販売できる。
【００２３】
請求項９に記載の発明は、請求項１から請求項８のいずれか一項に記載の発明に、商品通路幅をリンク板を介して可動自在に調整する通路幅調整板で、前記リンク板の一端は前記通路幅調整板に軸支され、他端は、側板に左右それぞれに上下方向に一体形成された略Ｌ曲げのフランジ部と前記フランジ部を覆う回動保持板によって回動自在に保持され、前記回動保持板は前記フランジ部を覆うように上方から下方に向かって取付けられ、前記側板に形成された切起し部に嵌合し、前記フランジ部に形成した爪状の突出部に前記回動保持板の上端部が係止して、前記フランジ部に固定されることにより、回動保持板の取り付けが側板に設けた切起し部に差し込むといった容易な作業で組み立てできるため、生産工数、コスト削減が図れる。
【００２４】
請求項１０に記載の発明は、請求項９に記載の発明に、略Ｌ曲げフランジ部の両側に設けられた切起し部は、回動保持部材の係合部をガイドするように、先端部を商品通路の外側に向かって折り曲げガイド部を構成したことにより、回動保持板の取り付けが側板に設けた切起し、突出部間にガイドされて差し込むといった容易な作業で組み立てできるため、生産工数、コスト削減が図れる。
【００２５】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００２６】
（実施の形態１）
図１は、本発明の実施の形態１における自動販売機の商品収納装置の斜視図である。図２は、同実施の形態における自動販売機の商品収納装置の通路幅調整板の斜視図と斜視分解図である。図３は、同実施の形態における自動販売機の商品収納装置の通路幅調整板の要部断面図である。図４は、同実施の形態における自動販売機の商品収納装置のリンク連結板の可動域上限位置の要部斜視図である。図５は、同実施の形態における自動販売機の商品収納装置のリンク連結板の可動域下限位置の要部斜視図である。図６は、図１のＡ矢視斜視図である。図７は、図６の斜視分解図である。
【００２７】
図１、図２、図３、図４、図５、図６、図７において、商品収納装置１１は、側板２ａ、２ｂ間に上下方向に蛇行したサーペンタイン式の商品通路１を前後方向に複数列形成し、各商品通路１の下端には商品通路１を挟んで商品搬出装置３と通路規制板１２が設けられている。
【００２８】
商品通路１は、上端には商品を入れる商品投入口４と、側板２ａ、２ｂ間に配置され、側板２ａとの間で横幅を水平移動調整可能に設けられた通路幅調整板５と、商品投入口４上に通路幅調整板５と連結させて商品の大きさにより横幅を調整固定可能に設けた投入口幅調整部材６と、側板２ａ、２ｂ間に通路幅調整板５の上端の穴に通路幅調整板５が水平移動可能に貫通されたピン７と、通路調整板５の商品通路１の反対側には、通路調整板５に略当接し、上下可動に設けられ、上下略全長の断面が商品通路１と反対側に略中央が凸形状となり、上下端に各２個の貫通穴１３を設けた商品通路１の反対側に略鉛直に曲がったコの字曲げを有したリンク連結板９と、リンク連結板９と側板２ｂとで平行リンク機構を形成するように、上端が略Ｔ字形状でリンク連結板９の上下２箇所のコの字曲げ間に２個の貫通穴１３内で略Ｔ字形状の両突出部が回動自在に設けられ、下端が側板２ｂの上下２箇所で回動自在に軸支されたリンク８ａ、８ｂとで構成される。
【００２９】
通路幅調整板５は、上下略全長の断面を略中央部と両縁部が商品通路１側に凸形状となるよう形成され、略中央部の商品通路１側に凸形状となっている部分の商品通路１の反対面にリンク連結板９が配置され、リンク連結板９を両横と商品通路１の反対側から挟み込むように切起し１４が設けられ、切起し１４は、一番上に配置されるものがリンク連結板９のコの字曲げの左方と当接し、上下可動域の下限として位置するよう左右が千鳥状に６箇所設けられる。また、リンク連結板９の上端の上方にリンク連結板９のコの字曲げの右方が当接し、上下可動域の上限に位置するよう通路調整板５に切起し１５が設けられる。
【００３０】
また、リンク連結板９は通路調整板５に設けられた６箇所の切起し１４と同ピッチで上限可動域外の左右縁に切起し１４より大きい切欠き１６を６箇所設けられ、切欠き１６部から通路調整板５と切起し１４内に挿入し、下方へスライドすることで可動域内に組み立てできるように構成される。また、この時、通路調整板５に設けられた切起し１５はリンク連結板９を上限可動域外からスライド組み立て可能な高さで配置される。
【００３１】
以上のように構成された自動販売機の商品収納装置について、以下その動作を説明する。
【００３２】
まず、５００ｍｌのＰＥＴ容器のように大きな商品を収納する場合、投入口幅調整部材６を操作して側板２ｂ側に商品通路１の横幅を大きくするよう移動させ調整固定させるが、投入口幅調整部材６に連動される通路幅調整板５もピン７に案内され水平に側板２ｂ側へ移動する。
【００３３】
この際、同時に下端が側板２ｂに軸支されたリンク板８ａ、８ｂが垂直になる方向に回動し、リンク板８ａ、８ｂの上端と上下２箇所で軸支連結されたリンク連結板９が通路幅調整板５と切起し１４に沿って、上方に移動することで通路幅調整板５がスムーズに移動設定される。
【００３４】
また、３５０ｍｌの缶容器のような小さな商品を収納する場合、投入口幅調整部材６を操作して側板２ａ側に商品通路１の横幅を小さくするよう移動させ調整固定させるが、投入口幅調整部材６に連動される通路幅調整板５もピン７に案内され水平に側板２ａ側へ移動する。この際、同時に下端が側板２ｂに軸支されたリンク板８ａ、８ｂが水平になる方向に回動し、リンク板８ａ、８ｂの上端と上下２箇所で軸支連結されたリンク連結板９が通路幅調整板５と切起し１４に沿って、下方に移動し、通路調整板５に設けられる一番上の切起し１４とリンク連結板９の上端コの字曲げの左方が当接し、一番横幅が小さい設定よりさらに、小さい方向に移動することがなく、通路幅調整板５がスムーズに移動設定される。
【００３５】
そして、ＰＥＴ容器やビン容器のような飲み口が小さい商品を商品投入口４から投入しても、商品通路１内を飲み口が通路調整板５と接触しながら水平姿勢で下方に落下していくが、上下方向に引っ掛りがなくスムーズに水平姿勢で商品が積み上がり、収納できる。
【００３６】
以上のように本実施の形態においては、ＰＥＴ容器やビン容器のような飲み口が小さい商品収納時、通路調整板５の部品構成が通路調整板５とリンク連結板９の２部品構成でも、通路調整板５の商品通路１と反対面にリンク連結板９を配し、通路調整板５の商品通路１側を上下の商品落下方向に対し、飲み口が入り込み引っ掛らない形状としたことにより、商品立ち、詰まりを起こさずスムーズに商品収納ができ、販売することができる。
【００３７】
また、本実施の形態において、通路幅調整板５が上下略全長の断面を略中央部と両縁部が商品通路１側に凸形状となるよう形成され、略中央部の商品通路１側に凸形状となっている商品通路１と反対側にリンク連結板９が配置するよう構成したことにより、通路調整板５の構成部品が通路調整板５とリンク連結板９の２部品構成でも、通路調整板５の強度を大きくすることができ、かつ、商品通路１側に上下方向に引っ掛りがなく構成できるため、商品の積み上げ収納時に通路調整板５は広がらず、かつ、ＰＥＴ容器やビン容器のような飲み口が小さな商品も水平姿勢を崩さず、商品立ち、詰まりを起こさないで販売することができる。
【００３８】
また、本実施の形態において、通路幅調整板５の商品通路１と反対側にリンク連結板９を通路調整板５に略当接させ、上下可動に両横から係止する切起し１４を設けた構成とすることにより、通路調整板５の構成部品が通路調整板５とリンク連結板９の２部品構成でも、リンク連結板９の左右側縁端面を通路調整板５の切起し１４の面で上下動をガイドするため、リンク連結板９が引っ掛りなくスムーズに上下動させることができ、商品の高さによって設定する通路幅調整板５の操作が引っ掛かることなく円滑にできる。
【００３９】
また、本実施の形態において、通路幅調整板５の商品通路１と反対側にリンク連結板９を通路調整板５に略当接させ、上下可動に両横から係止するよう設けた一番上の切起し１４とリンク連結板９の上端に設けられたコの字曲げの左方がリンク連結板９の上下可動域の下限位置で当接し、止まるよう構成したことにより、通路調整板５の構成部品が通路調整板５とリンク連結板９の２部品構成でも、通路規制板５に新たに穴を開けず、強度を落とすことなくリンク連結板９の下限の可動域を規制できるため、商品の積み上げ収納時に通路調整板５が広がらず、かつ、商品の高さによって設定する通路幅調整板５の操作が引っ掛かることなく円滑にでき、商品立ち、詰りを起さず商品を販売できる。
【００４０】
また、本実施の形態において、通路幅調整板５の商品通路１と反対側にリンク連結板９を通路調整板５に略当接させ、上下可動に両横から係止するよう設けた６箇所の切起し１４と、通路調整板５と切起し１４の間にリンク連結板９を挿着できるよう上限可動域外にリンク連結板９の左右縁に切起し１４と同ピッチで６箇所の切欠き１６を設けた構成としたことにより、通路調整板５に設けられた切起し１４内に上限可動域外のリンク連結板９の左右縁に設けられた切欠き１６部よりリンク連結板９を挿着させるといった容易な作業で組み立てできるため、生産工数、コスト削減が図れる。
【００４１】
また、本実施の形態において、通路幅調整板５の商品通路１と反対側にリンク連結板９を通路調整板５に略当接させ、上下可動に両横から係止するよう設けた６箇所の切起し１４と、リンク連結板９を挿着できるよう上限可動域外にリンク連結板９の左右縁に切起し１４と同ピッチで設けた切欠き１６をリンク連結板９の左右で千鳥状に配置した構成とすることにより、通路調整板５に設けられた切起し１４内に上限可動域外のリンク連結板９の左右縁に設けられた切欠き１６部よりリンク連結板９を挿着させるといった容易な作業で組み立てでき、かつ、通路幅調整板５の左右切起し１４間と、リンク連結板９の左右切欠き１６間を大きく取ることにより、通路調整板５とリンク連結板９の両方の強度を大きくすることがでるため、生産工数、コスト削減が図れ、かつ、通路調整板５の広がりによる商品立ち、詰りを防止できる。
【００４２】
また、本実施の形態において、リンク連結板９の上下可動域の上限位置でリンク連結板９の上端のコの字曲げの右方が当接して止まるように通路幅調整板５の商品通路１と反対側のリンク連結板９の上端の上方に切起し１５を設けた構成としたことにより、通路調整板５に設けられた切起し１４内に可動域外のリンク連結板９の側縁に設けられた切欠き１６部よりリンク連結板９を挿着させた後、上限の可動域の規制をすることができるため、組み立て後の可動域規制、及び、リンク連結板９の外れ止めのための後加工を施さなくてよく、生産工数、コスト削減が図れる。
【００４３】
また、本実施の形態において、リンク連結板９の上下略全長の断面を商品通路１と反対側に略中央が凸形状となるよう構成したことにより、通路調整板５の構成部品が通路調整板５とリンク連結板９の２部品構成でも、リンク連結板９の強度を大きくすることができ、通路調整板５の広がりによる商品詰り、立ちを起さず商品を販売できる。また、本実施の形態において、リンク連結板９と側板２ｂとで平行リンク機構を形成するように、リンク板８ａ、８ｂの下端を略Ｔ字形状とし、側板２ｂに設けた開口穴１７の左右に略鉛直に形成した略Ｌ曲げ１８の先端に設けた略半円の切欠き部１９と略Ｌ曲げフランジ部１８の先端と略垂直に密接するよう設けた回動保持板２０内でリンク板８ａ、８ｂの略Ｔ字形状の両突出部が回動自在に設けられる。リンク板８ａ、８ｂの両端軸支部間にはしる両側端面は側板２ｂに設けた略Ｌ曲げフランジ部１８と略垂直に略密接しつつ動作するよう構成される。
【００４４】
回動保持板２０は側板２ｂに設けた略Ｌ曲げフランジ部１８の略両横に左右各２箇所に設けられた側板２ｂと略平行な切起し部２１と側板２ｂ間に差込まれ、かつ、側板２ｂの略Ｌ曲げフランジ部１８の先端に設けた略三角形の突出部２２が外れ防止となるように嵌め込まれている。
【００４５】
以上のような構成としたことにより、回動保持板２０を側板２ｂと略平行な切起し部２１と側板２ｂ間に上方から下方に向かって差込む際、略三角形の突出部２２は商品通路１方向に容易にたわむため、容易な作業で組み立てできる。また、差込み後は、回動保持板２０と略三角形の爪状の突出部２２が９０°で当接し、また回動保持板２０の左右両側に一体形成された係合部２０ａが側板２ａを切起して構成された切起し部２１に嵌合することで固定できるため、別部材での締結等の必要がなく、生産工数、コストの削減ができる。
【００４６】
また、本実施の形態において、回動保持板２０は側板２ｂに設けた略Ｌ曲げフランジ部１８の略両横に左右各２箇所に設けられた側板２ｂと略平行な切起し部２１と側板２ｂ間に差込まれ、かつ、側板２ｂの略Ｌ曲げフランジ部１８の先端に設けた略三角形の突出部２２が外れ防止となるように嵌め込まれている。さらに、側板２ｂと略平行な切起し部２１の上側左右２箇所は先端が商品通路１と反対側に略４５°に折り曲がってガイド部２１ａが構成されている。
【００４７】
以上のような構成としたことにより、回動保持板２０を側板２ｂと略平行な切起し部２１と側板２ｂ間に差込む際、略三角形の突出部２２は商品通路１方向に容易にたわみ、かつ、側板２ｂと略平行な切起し部２１の上側左右２箇所の先端が商品通路１と反対側にガイド部２１ａが構成されているので、係合部２０ａがガイド部２１ａによってガイドされるので、容易な作業で組み立てできる。また、差込み後は、回動保持板２０と略三角形の突出部２２が９０°で当接し、完全に固定できるため、別部材での締結等の必要がなく、生産工数、コストの削減ができる。
【産業上の利用可能性】
【００４８】
以上のように、本発明にかかる自動販売機の商品収納装置は通路側に上下方向に引っ掛りがなく、ＰＥＴ容器やビン容器のような飲み口が小さな商品も、商品立ち、詰まりを起こさず販売することができるので飲料の缶やペットボトル容器だけでなく、大きさや形が多種多様な容器に入った食品や冷凍食品の自動販売機にも適用できる。
【図面の簡単な説明】
【００４９】
【図１】本発明の実施の形態１における自動販売機の商品収納装置の斜視図
【図２】同実施の形態における自動販売機の商品収納装置の通路幅調整板の斜視図と斜視分解図
【図３】同実施の形態における自動販売機の商品収納装置の通路幅調整板の要部断面図
【図４】同実施の形態における自動販売機の商品収納装置のリンク連結板の可動域上限位置の要部斜視図
【図５】同実施の形態における自動販売機の商品収納装置のリンク連結板の可動域下限位置の要部斜視図
【図６】図１のＡ矢視斜視図
【図７】図６の斜視分解図
【図８】従来の自動販売機の商品収納装置の正面図
【図９】従来の自動販売機の商品収納装置の通路調整板の斜視図
【図１０】従来の自動販売機の商品収納装置の通路調整板の要部断面図
【符号の説明】
【００５０】
１    商品通路
２ａ、２ｂ  側板
３    商品搬出装置
５    通路幅調整板
８ａ、８ｂ  リンク板
９    リンク連結板
１１  商品収納装置
１２  通路規制板
１４  切起し
１５  切起し
１６  切欠き
１７  開口穴
１８  略Ｌ曲げ
１９  切欠き部
２０  回転保持板
２１  切起し部
２２  突出部
【図１】
2007122702.tif 000003
【図２】
2007122702.tif 000004
【図３】
2007122702.tif 000005
【図４】
2007122702.tif 000006
【図５】
2007122702.tif 000007
【図６】
2007122702.tif 000008
【図７】
2007122702.tif 000009
【図８】
2007122702.tif 000010
【図９】
2007122702.tif 000011
【図１０】
2007122702.tif 000012